(57)【要約】【課題】パワーコンディショナの効率の低下を回避しつつ突入電流を抑制して発電装置の早期劣化を防止し得る発電システムを提供する。【解決手段】燃料電池装置１の出力部とパワーコンディショナ３の入力部とを接続する正極および負極のライン間にコンデンサ３２が備えられた発電システムにおいて、コンデンサ３２の上流側のラインに、燃料電池装置１の出力の開閉器１２と抵抗器１３とを直列に接続するとともに、この抵抗器１３を短絡させる常閉接点の継電器１４を接続する。そして、ＦＣ制御部１１は、燃料電池装置１の出力をパワーコンディショナ３に供給するときには、開閉器１２を閉成させる制御を行った後、パワーコンディショナ３の入力電圧が所定電圧以上になることを条件として継電器１４を閉成させる。【選択図】図１
2013078183.tif 000002
【特許請求の範囲】
【請求項１】
直流電力を発電する発電装置と、前記発電装置から供給される直流電力を交流電力に変換するパワーコンディショナとを備え、前記発電装置の出力部と前記パワーコンディショナの入力部とを接続する正極および負極のライン間にコンデンサが備えられた発電システムにおいて、
前記コンデンサの上流側のラインに、前記発電装置の出力をオン／オフする開閉器と抵抗器とが直列に接続されるとともに、この抵抗器の両端に当該抵抗器を短絡させる常閉接点の継電器が接続されており、
制御部は、その起動時に前記常閉接点の継電器の接点を開成させるように設定されており、前記発電装置の出力を前記パワーコンディショナに供給するときには、前記開閉器を閉成させる制御を行った後、前記パワーコンディショナの入力電圧が所定電圧以上になることを条件として前記常閉接点の継電器を閉成させる制御を行う制御構成を有することを特徴とする発電システム。
【請求項２】
前記制御部、前記開閉器、前記抵抗器および前記常閉接点の継電器は、いずれも前記発電装置に備えられていることを特徴とする請求項１に記載の発電システム。
【請求項３】
前記開閉器は、常開接点の継電器で構成されていることを特徴とする請求項１または２に記載の発電システム。
【請求項４】
前記パワーコンディショナは、前記発電装置からの入力電圧を測定する電圧測定手段を備えており、この電圧測定手段で測定されたパワーコンディショナの入力電圧の情報がパワーコンディショナの制御部を介して前記発電装置に備えられた前記制御部に送信されるように構成されていることを特徴とする請求項２または３に記載の発電システム。
【発明の詳細な説明】
【技術分野】
【０００１】
この発明は発電システムに関し、より詳細には、発電装置として燃料電池を用いた発電システムにおけるパワーコンディショナの入力部に備えられるコンデンサへの突入電流を抑制する技術に関する。
【背景技術】
【０００２】
燃料電池装置などの直流の発電装置を商用電源などの電力系統に接続する発電システムでは、発電装置と電力系統の間にインバータ装置であるパワーコンディショナが設けられている。
【０００３】
この種のパワーコンディショナは、周知のとおり、発電装置から供給される直流電力を昇圧するコンバータと、コンバータから出力される直流電力を電力系統に連系可能な交流電力に変換するインバータと、該インバータと電力系統とを接続する系統連系用の開閉器と、これらの制御部とを主要部として備えており、上記発電装置の出力部とパワーコンディショナの入力部であるコンバータとを接続する正極および負極のライン間にコンデンサ（電解コンデンサ）が備えられている（たとえば、特許文献１参照）。
【先行技術文献】
【特許文献】
【０００４】
【特許文献１】再公表ＷＯ２００７／０９６９９４号公報の図３
【発明の概要】
【発明が解決しようとする課題】
【０００５】
ところで、発電装置に用いられる燃料電池は急激に電流を流すと早期に劣化するという問題がある。そのため、上述したように、パワーコンディショナの入力部にコンデンサを備える構成では、発電装置に燃料電池を使用した場合、発電装置の動作開始時、すなわち、燃料電池による発電開始時に上記コンデンサに大きな突入電流が流れてしまい燃料電池の早期の劣化を招くという問題がある。
【０００６】
このような問題を解消するため、出願人は、パワーコンディショナの入力部に備えられるコンデンサの上流側、すなわち、当該コンデンサの発電装置側に突入電流防止回路を設けることを検討した。
【０００７】
図３は、このような突入電流防止回路を備えた発電システムを示している。図において、ａは発電装置である燃料電池装置、ｂはパワーコンディショナ、ｃは燃料電池装置ａの出力部とパワーコンディショナｂの入力部とを接続する正極および負極のライン間に配設されるコンデンサを示している。また、ｄは上記ライン上に配設された発電装置ａの出力をオン／オフする常開接点（ａ接点）の開閉器である。そして、このような発電システムにおいて、上記突入電流防止回路として、上記開閉器ｄと直列に電流制限用の抵抗器ｅを接続するとともに、この抵抗器ｅの両端に抵抗器ｅを短絡する常開接点（ａ接点）の継電器ｆを設けている。
【０００８】
このように、抵抗器ｅと常開接点の継電器ｆとからなる突入電流防止回路を設ける構成では、燃料電池装置ａが発電していないとき（パワーコンディショナｂが待機中のとき）は、図３（ａ）に示すように、開閉器ｄおよび継電器ｆは双方とも開成させておき、燃料電池装置ａが発電しているとき（パワーコンディショナｂが動作中のとき）には、動作開始当初のコンデンサｃへの突入電流を防止しているときを除き、図３（ｂ）に示すように、常開接点の開閉器ｄおよび継電器ｆは双方とも閉成させるようにしている。
【０００９】
しかしながら、発電装置に用いられる燃料電池装置ａは、一旦発電を開始すると長期間（たとえば、１カ月程度）発電を継続する。つまり、燃料電池装置ａを発電装置とするパワーコンディショナｂは、待機時間よりも動作時間が極端に長い。そのため、突入電流防止回路に使用する継電器ｆとして、接点を閉成させるのに電力を消費する常開接点の継電器を用いる構成では、燃料電池装置ａが発電を継続する長期間にわたって継電器ｆで電力が消費されることとなり無駄な電力消費を招く一方で、継電器ｆの駆動電力はパワーコンディショナｂ側から供給されることになるので、パワーコンディショナｂの効率低下を招く要因という問題があった。
【００１０】
本発明は、このような問題点に鑑みてなされたものであって、その目的とするところは、パワーコンディショナの効率の低下を回避しつつ突入電流を抑制して発電装置の早期劣化を防止し得る発電システムを提供することにある。
【課題を解決するための手段】
【００１１】
上記目的を達成するため、本発明の請求項１に記載の発電システムは、直流電力を発電する発電装置と、上記発電装置から供給される直流電力を交流電力に変換するパワーコンディショナとを備え、上記発電装置の出力部と上記パワーコンディショナの入力部とを接続する正極および負極のライン間にコンデンサが備えられた発電システムにおいて、上記コンデンサの上流側のラインに、上記発電装置の出力をオン／オフする開閉器と抵抗器とが直列に接続されるとともに、この抵抗器の両端に当該抵抗器を短絡させる常閉接点の継電器が接続されており、制御部は、その起動時に上記常閉接点の継電器の接点を開成させるように設定されており、上記発電装置の出力を上記パワーコンディショナに供給するときには、上記開閉器を閉成させる制御を行った後、上記パワーコンディショナの入力電圧が所定電圧以上になることを条件として上記常閉接点の継電器を閉成させる制御を行う制御構成を有することを特徴とする。
【００１２】
請求項１に係る発電システムでは、発電装置の出力をオン／オフする開閉器に接続される突入電流防止回路の抵抗器を短絡させる継電器として、接点を閉成させるのに電力を消費しない常閉接点（ｂ接点）の継電器を用いているので、発電装置が発電しているとき（パワーコンディショナの動作中）に、その接点を閉成させるにあたって継電器では電力が消費されない。そのため、発電装置が発電中にパワーコンディショナから継電器を動作させるための電力を供給しなくてよいのでパワーコンディショナの効率の低下をまねくことなくパワーコンディショナの入力用のコンデンサに対する突入電流を抑制することができる。
【００１３】
本発明の請求項２に記載の発電システムは、請求項１に記載の発電システムにおいて、上記制御部、上記開閉器、上記抵抗器および上記常閉接点の継電器は、いずれも上記発電装置に備えられていることを特徴とする。
【００１４】
すなわち、この請求項２に係る発電システムでは、発電装置の出力をオン／オフする開閉器と、この開閉器に接続される突入電流防止回路と、これらの制御部とがいずれも発電装置に備えられる。そのため、発電装置において発電部などの制御を行う制御部に上記制御部の機能を備えさせることにより、発電装置の制御部の設定により上記開閉器を用いて出力の安全停止などの必要な措置を講ずることができる。
【００１５】
本発明の請求項３に記載の発電システムは、請求項１または２に記載の発電システムにおいて、上記開閉器は、常開接点の継電器で構成されていることを特徴とする。
【００１６】
すなわち、この請求項３に係る発電システムでは、上記開閉器として常開接点の継電器が用いられるので、発電装置が発電していないとき、つまり、上記開閉器を開成させておく必要があるときに、上記開閉器で電力が消費されるのを防止することができる。
【００１７】
本発明の請求項４に記載の発電システムは、請求項２または３に記載の発電システムにおいて、上記パワーコンディショナは、上記発電装置からの入力電圧を測定する電圧測定手段を備えており、この電圧測定手段で測定されたパワーコンディショナの入力電圧の情報がパワーコンディショナの制御部を介して上記発電装置に備えられた上記制御部に送信されるように構成されていることを特徴とする。
【００１８】
すなわち、この請求項４に係る発電システムでは、発電装置からパワーコンディショナに入力される入力電圧を測定する電圧測定手段がパワーコンディショナに備えられているので、電圧測定手段で測定された入力電圧の情報はパワーコンディショナと発電装置の通信機能（パワーコンディショナの制御部と発電装置の制御部との通信機能）を利用して制御部に伝達することができる。
【発明の効果】
【００１９】
本発明によれば、発電装置の出力をオン／オフする開閉器に接続される突入電流防止回路の抵抗器を短絡させる継電器として、接点を閉成させるのに電力を消費しない常閉接点の継電器が用いられているので、発電装置が発電しているとき（パワーコンディショナの動作中）に、突入電流防止回路の継電器の接点を閉成させるのに電力を消費しない。そのため、発電装置が発電中にパワーコンディショナから継電器を動作させるための電力を供給しなくてよく。パワーコンディショナの効率の低下をまねくことなくパワーコンディショナの入力用のコンデンサに対する突入電流の抑制を図ることができる。
【００２０】
したがって、燃料電池装置のようにパワーコンディショナの待機時間が動作時間よりも極端に短くなる発電装置を用いた発電システムに適用することにより、突入電流防止回路での消費電力が少なく、かつ、パワーコンディショナの効率低下を抑制した発電システムを提供できる。
【図面の簡単な説明】
【００２１】
【図１】本発明に係る発電システムの概略構成の一例を示す回路図であり、図１（ａ）はパワーコンディショナが待機中の状態を、図１（ｂ）はパワーコンディショナの動作開始当初の状態を、図１（ｃ）はパワーコンディショナが動作中の状態をそれぞれ示している。
【図２】同発電システムにおける突入電流防止回路の動作手順を示すフローチャートである。
【図３】従来のパワーコンディショナの入力用コンデンサに対する突入電流防止回路を設けた発電システムの概略構成の一例を示しており、図３（ａ）はパワーコンディショナが待機中の状態を、図３（ｂ）はパワーコンディショナが動作中の状態をそれぞれ示している。
【発明を実施するための形態】
【００２２】
以下、本発明の実施形態を図面に基づいて詳細に説明する。
図１は、本発明に係る発電システムの一例を示している。この図１に示す発電システムは、発電装置として燃料電池を用いた発電システムであって、燃料電池装置１と、電力系統２と、パワーコンディショナ３とを主要部として構成されている。
【００２３】
燃料電池装置１は、天然ガスなどの水素を含む燃料ガスと空気などの酸素を含む酸化剤ガスとを化学反応させて直流電力を発電する周知の構成よりなる発電装置であって、この燃料電池装置１には、図示しない発電部（スタック）や発電部の周辺機器（補機）の他、燃料電池装置１の各部を制御するＦＣ制御部（制御部）１１が備えられている。
【００２４】
ＦＣ制御部１１は、図示しないマイコンを制御中枢として備えた制御装置であって、発電部の出力電圧や出力電流、補機の状態などを監視する各種センサ類（図示せず）から得られる情報と、後述するパワーコンディショナ３のＰＣ制御部３１との通信によって得られる情報とに基づいて燃料電池装置１の各部の動作（たとえば、発電部での発電開始や発電停止など）を制御するように構成されている。そして、特に本実施形態では、このＦＣ制御部１１は、後述する開閉器１２および常閉接点の継電器１４の開閉制御を行うように構成されている。なお、このＦＣ制御部１１は、パワーコンディショナ３から電力供給を受けて動作するように構成されており、発電部が発電していないときでも後述する継電器１４の駆動制御を行えるようになっている。
【００２５】
図１において、１１ａはＦＣ制御部１１に備えられた制御基板を示している。この制御基板１１ａには、ＦＣ制御部１１を構成する各種電気部品（たとえば、ＰＣ制御部３１との通信回路や燃料電池装置１の電源回路など）が搭載されるほか、本実施形態では、燃料電池装置１で発電される直流電力の出力をオン／オフする開閉器１２と、抵抗器１３および継電器１４で構成される突入電流防止回路とが備えられている。なお、図示例では図示の便宜上、制御基板１１ａを燃料電池装置１の外側に示したが、この制御基板１１ａは上記ＦＣ制御部１１とともに燃料電池装置１の内部に備えられている。
【００２６】
開閉器１２は、その駆動回路（図示せず）がＦＣ制御部１１によって制御される常開接点（ａ接点）の継電器で構成されており、燃料電池装置１の直流電力の出力部とパワーコンディショナ３の入力部とを接続する正極および負極の給電ラインに直列に配設されている。そして、燃料電池装置１が発電を開始したときには、ＦＣ制御部１１がその接点を閉成させて、燃料電池装置１から出力される直流電力がパワーコンディショナ３に与えられるようになっている。
【００２７】
抵抗器１３は、上記開閉器１２と直列に接続される電気抵抗であって、突入電流防止回路において突入電流を抑制する電流制限抵抗として機能する（詳細は後述する）。また、継電器１４は、抵抗器１３の両端に当該抵抗器１３を短絡させるように接続された常閉接点（ｂ接点）の継電器であって、この継電器１４の駆動回路（図示せず）も上記ＦＣ制御部１１によって制御されるようになっている。なお、これら開閉器１２および抵抗器１３と継電器１４は、いずれも上記給電ラインにおいて、後述するパワーコンディショナ３の入力用のコンデンサ３２の上流側、すなわち、コンデンサ３２からみて燃料電池装置１側に配設されている。
【００２８】
電力系統２は、商用電源（たとえば、単相ＡＣ２００Ｖ）で構成されており、図示しない分電盤を介して家庭内の電気負荷（図示せず）やパワーコンディショナ３と接続されている。
【００２９】
パワーコンディショナ３は、燃料電池装置１で発電された直流電力を電力系統２に連系可能な交流電力に変換するインバータ装置であって、燃料電池装置１から供給される直流電力を昇圧するコンバータ（ＤＣ／ＤＣコンバータ）と、該コンバータから出力される直流電力を電力系統２に連系可能な交流電力に変換するインバータ（ＤＣ／ＡＣインバータ）と、該インバータを電力系統２に接続する系統連系リレー（いずれも図示せず）と、これらコンバータ、インバータおよび系統連系リレーを含むパワーコンディショナ３の各部の動作を制御するＰＣ制御部３１とを主要部として備えている。
【００３０】
そして、このパワーコンディショナ３の入力部、すなわち、上記燃料電池装置１の出力部と接続される正極および負極の給電ラインのライン間にはコンデンサ（電解コンデンサ）３２が接続されるとともに、燃料電池装置１からパワーコンディショナに入力される入力電圧（正極および負極の給電ライン間の電圧）を測定する電圧センサ（電圧測定手段）３３が備えられている。なお、これらコンデンサ３２および電圧センサ３３は、いずれもパワーコンディショナ３の内部に備えられている。
【００３１】
ＰＣ制御部３１は、図示しないマイコンを制御中枢として備えた制御装置であって、上記電圧センサ３３などのパワーコンディショナ３に備えられた各種センサ類から得られる情報、燃料電池装置１のＦＣ制御部１１から得られる情報、さらには、図示しないパワーコンディショナ３のリモコン（操作部）から得られる情報などに基づいて、パワーコンディショナ３の各部の動作を制御するように構成されている。特に本実施形態では、電圧センサ３３で測定されるパワーコンディショナ３への入力電圧の情報を図示しない通信回路を通じてＦＣ制御部１１に対して送信するように構成されている。
【００３２】
しかして、このように構成された発電システムの動作について、図１（ａ）〜図１（ｃ）及び図２を参照しながら説明する。
【００３３】
本実施形態に示す発電システムでは、燃料電池装置１の発電部が発電をしていないときは、パワーコンディショナ３は停止状態で待機する（図１（ａ）参照）。このとき、ＦＣ制御部１１は、常開接点の開閉器１２を開成状態に維持するとともに、常閉接点の継電器１４を開成状態となるように制御する。つまり、ＦＣ制御部１１は、燃料電池装置１の発電部が発電をしていないときは、常開接点の開閉器１２の駆動回路には電力の供給を行わないが、常閉接点である継電器１４の駆動回路には電力を供給し、継電器１４の接点を開成させるように構成されている。なお、ここで継電器１４の駆動回路に供給する電力は、上述したようにパワーコンディショナ３から供給を受けた電力が用いられている。
【００３４】
そして、この制御に関連して、ＦＣ制御部１１は、その起動時に（ＦＣ制御部１１に電力が供給された当初の初期動作で）、常閉接点の継電器１４の接点を開成させるように設定（プログラム）されている。すなわち、ＦＣ制御部１１に電力が供給された当初は、発電部は発電を行っていないので、ＦＣ制御部１１は電力供給を受けて起動したときの初期動作として、継電器１４の接点を開成させるようになっている。なお、停止状態にあるパワーコンディショナ３における上記コンバータおよびインバータは動作停止状態にあり、上記系統連系リレーは開成（解列）されている。
【００３５】
そして、燃料電池装置１の発電部で発電を開始するときは、ＦＣ制御部１１は、発電を開始する旨をＰＣ制御部３１に送信するとともに、発電開始に伴って、開閉器１２を閉成させる制御を行う。つまり、開閉器１２の駆動回路にも電力を供給し、開閉器１２の接点を閉成させる。このとき継電器１４の駆動回路には電力供給が継続され、継電器１４の接点は開成状態を維持している（図１（ｂ）参照）。
【００３６】
これにより、燃料電池装置１の発電部で発電された直流電力は、開閉器１２および抵抗器１３を介してコンデンサ３２を充電する。このとき、継電器１４は開成状態を維持しているので、燃料電池装置１の発電部から出力される電流は電流制限用の抵抗器１３を通ってコンデンサ３２に与えられるようになり、コンデンサ３２に大きな突入電流が流れるのが抑制される（コンデンサへの突入電流防止）。
【００３７】
一方、パワーコンディショナ３のＰＣ制御部３１は、ＦＣ制御部１１からの通信によって燃料電池装置１の発電部が発電を開始することを知ると、パワーコンディショナ３の動作を開始させるとともに（図２ステップＳ１参照）、電圧センサ３３で測定される入力電圧の情報（電圧値の情報）をＦＣ制御部１１に逐次送信する。このとき、上記開閉器１２が閉成された直後のわずかな時間（たとえば、数マイクロ秒から十数マイクロ秒程度の時間）は上記電圧センサ３３は電圧を検出しないが、コンデンサ３２が十分に充電されると電圧センサ３３で電圧が検出されるようになり、その結果がＦＣ制御部１１に送信される。
【００３８】
ＦＣ制御部１１では、開閉器１２を閉成させた後、ＰＣ制御部３１から送信されるパワーコンディショナ３の入力電圧の情報を監視し、入力電圧があらかじめ設定された所定電圧（たとえば、○○Ｖ）以上になったか否かを判断して（図２ステップＳ２参照）、所定電圧以上の入力電圧があれば（図２ステップＳ２でＹｅｓであれば）、継電器１４の接点を閉成（接点ＯＮ）させる（図１（ｃ）および図２ステップＳ３参照）。つまり、ＦＣ制御部１１は、パワーコンディショナ３の入力電圧が所定電圧以上であることを条件に、常閉接点の継電器１４の駆動回路に対する電力供給を停止し、継電器１４の接点を閉成させる。
【００３９】
これにより、燃料電池装置１から出力される直流電力は、抵抗器１３を介することなく、継電器１４を介してパワーコンディショナ３に供給される。そのため、発電部が発電を開始してパワーコンディショナ３の入力電圧が上記所定電圧以上となった後は、発電部での発電が継続している限りにおいて、抵抗器１３で電力が消費されることなく、燃料電池装置１で発電された電力を無駄なくパワーコンディショナ３に供給することができる。しかも、パワーコンディショナ３は、継電器１４の駆動回路に電力を供給しなくてよいので効率よく直流電力を交流電力に変換できる。
【００４０】
これに対して、発電部での発電を停止するときは、パワーコンディショナ３は待機状態に復帰し、上述した図１（ａ）の状態となる。つまり、ＦＣ制御部１１は、開閉器１２の駆動回路への電力供給を停止させて開閉器１２の接点を開成させるとともに、常閉接点である継電器１４の駆動回路に対しては電力供給を開始して、継電器１４の接点を開成させる（図２ステップＳ４参照）。
【００４１】
このように、本発明に係る発電システムでは、燃料電池装置１の出力をオン／オフする開閉器１２に接続される突入電流防止回路の抵抗器１３を短絡させる継電器１４として、接点を閉成させるのに電力を消費しない常閉接点（ｂ接点）の継電器を用いているので、燃料電池装置１の発電部が発電しているとき（つまり、パワーコンディショナ３が動作中のとき）には突入電流防止回路の継電器１４で電力は消費されない。そのため、燃料電池装置１が発電中は、パワーコンディショナ３から継電器１４を動作させるための電力を供給しなくてよく、燃料電池装置１で発電された電力を無駄なく交流電力に変換でき、パワーコンディショナ３の効率の低下が防止される。したがって、燃料電池装置のようにパワーコンディショナの待機時間が動作時間よりも極端に短くなる発電装置を用いる場合、上述した本発明による効果（突入電流防止回路での消費電力が少なく、かつ、パワーコンディショナの効率低下を抑制する効果）をより多く享受することができるようになる。
【００４２】
なお、上述した実施形態は本発明の好適な実施態様を示すものであって、本発明はこれらに限定されることなく発明の範囲内で種々の設計変更が可能である。
【００４３】
たとえば、上述した実施形態では、突入電流防止回路の継電器１４の接点を閉成させる条件（パワーコンディショナ３の入力電圧が所定電圧以上あるか否か）を、ＰＣ制御部３１から与えられるパワーコンディショナ３の入力電圧の電圧値に基づいてＦＣ制御部１１側で判断するように構成した場合を示したが、この判断をＰＣ制御部３１側で行って、その結果をＦＣ制御部１１に送信するように構成してもよい。その場合、ＦＣ制御部１１は、ＰＣ制御部３１からの指示に従って継電器１４を閉成させる（継電器１４の駆動回路への電力供給を停止する）制御を行うように構成される。
【００４４】
また、上述した実施形態では、コンデンサ３２および電圧センサ３３は、いずれもパワーコンディショナ３に設けた場合を示したが、これらをパワーコンディショナ３の外部に設けるように構成することもできる。
【００４５】
また、上述した実施形態では、本発明を適用する発電装置として燃料電池を用いた場合を示したが、直流電力を発電する発電装置であれば燃料電池以外の方式の発電装置（たとえば、太陽電池）にも本発明は適用可能である。また、燃料電池については固体酸化物型燃料電池（ＳＯＦＣ）のほか、固体高分子形燃料電池（ＰＥＦＣ）などの燃料電池からなる燃料電池装置にももちろん適用可能である。
【００４６】
また、上述した実施形態では、常閉接点の継電器１４は、ＦＣ制御部１１の初期動作で接点を開成させるように設定した場合を示したが、継電器１４の駆動回路での電力消費を削減する観点から、上記開閉器１２が開成されているときは、継電器１４を閉成させておくように設定しておくこともできる。すなわち、この場合、ＦＣ制御部１１は、発電開始によって上記開閉器１２の接点を閉成させる直前に継電器１４を開成させる、つまり、開閉器１２の駆動回路に電力を供給する直前に継電器１４の駆動回路に電力を供給して継電器１４を開成させるように設定しておくことができる。これにより、開閉器１２が開成されている間（発電部が発電していない間）における継電器１４の駆動回路での電力消費を削減することができる。
【符号の説明】
【００４７】
１                燃料電池装置
２                電力系統
３                パワーコンディショナ
１１              ＦＣ制御部（制御部）
１１ａ            制御基板
１２              開閉器
１３              抵抗器
１４              常閉接点の継電器
３１              ＰＣ制御部
３２              コンデンサ
３３              電圧センサ（電圧測定手段）
【図１】
2013078183.tif 000003
【図２】
2013078183.tif 000004
【図３】
2013078183.tif 000005